【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
パケットデータネットワーク内で通信する方法において、
前記パケットデータネットワークにおけるエンドポイントにおいてアプリケーションレイヤプロトコルメッセージを受信するステップであって、前記プロトコルメッセージは、当該プロトコルメッセージのヘッダ部分にパラメータ情報を含み、さらに、当該パラメータ情報は圧縮又は解凍メカニズムの少なくとも一つの処理詳細を指定するものであるステップと、
前記パラメータ情報に基づいて前記圧縮又は解凍メカニズムをセットするステップと、
を備えた方法。
【請求項２】
前記アプリケーションレイヤプロトコルメッセージは、セッションイニシエーションプロトコルメッセージ又はリアルタイムストリーミングプロトコルメッセージを含む、請求項１に記載の方法。
【請求項３】
前記少なくとも一つの処理詳細は、ＳｉｇＣｏｍｐアーキテクチャーの少なくとも１つのパラメータを含む、請求項１又は２に記載の方法。
【請求項４】
前記プロトコルメッセージは、通信の初期要求に応答して送信されるフィードバックメッセージである、請求項１から３のいずれかに記載の方法。
【請求項５】
前記プロトコルメッセージはセッションイニシエーションプロトコルメッセージを含み、さらに前記少なくとも一つの処理詳細は、ユニフォームリソース識別子、又は前記セッションイニシエーションプロトコルメッセージのビア・ヘッダの少なくとも一方に与えられる、請求項１から４のいずれかに記載の方法。
【請求項６】
前記少なくとも一つの処理詳細は、前記パケットデータネットワークの中間サーバー装置において前記ユニフォームリソース識別子に追加される、請求項５に記載の方法。
【請求項７】
前記少なくとも一つの処理詳細は、クライアント装置において前記ビア・ヘッダに追加される、請求項５又は６に記載の方法。
【請求項８】
前記少なくとも一つの処理詳細を、前記圧縮又は解凍メカニズムの使用を指示するパラメータであって前記プロトコルメッセージのヘッダ部分におけるパラメータにサフィックスとして追加することをさらに含む、請求項１から７のいずれかに記載の方法。
【請求項９】
前記少なくとも一つの処理詳細は、前記プロトコルメッセージのヘッダ部分におけるデータフィールドとして追加され、該データフィールドは前記圧縮又は解凍メカニズムの使用を指示するパラメータとは別である、請求項１から８のいずれかに記載の方法。
【請求項１０】
前記パラメータ情報は、前記少なくとも一つの処理詳細の開始を指示する所定の第１キャラクタを含む、請求項８又は９に記載の方法。
【請求項１１】
前記少なくとも一つの処理詳細は、少なくとも１つのキャラクタであって当該少なくとも１つのキャラクタにより表わされたパラメータの対応値を指示する各整数が後に続くキャラクタを含む、請求項１０に記載の方法。
【請求項１２】
前記少なくとも一つの処理詳細は、シグナリング圧縮バージョン、状態メモリサイズ、解凍メモリサイズ、ビット当たりのサイクル数、及びローカルに利用可能な状態、の少なくとも１つを指定する、請求項１１に記載の方法。
【請求項１３】
前記少なくとも一つの処理詳細は、前記圧縮又は解凍メカニズムの実施に関する所有権情報を指定する、請求項１１に記載の方法。
【請求項１４】
前記パラメータ情報は、バーチャル解凍マシンにより使用されるべき少なくとも１つのバイトコードを含む、請求項１に記載の方法。
【請求項１５】
前記少なくとも１つのバイトコードを、前記パケットデータネットワークにおいてアドバータイズすることをさらに含む、請求項１４に記載の方法。
【請求項１６】
前記プロトコルメッセージはセッションイニシエーションプロトコルメッセージを含み、前記方法がさらに前記少なくとも１つのバイトコードを、セッションイニシエーションプロトコルメッセージのビア・ヘッダにビア・パラメータとして追加することを含む請求項１４又は１５に記載の方法。
【請求項１７】
前記ビア・パラメータは、バイトコード状態アイデンティティから導出される、請求項１６に記載の方法。
【請求項１８】
前記少なくとも１つのバイトコードがサポートされない場合には、前記少なくとも１つのバイトコードは、前記アプリケーションレイヤプロトコルメッセージに応答して送信される応答メッセージにおいて変更され又は置き換えられる、請求項１４から１７のいずれかに記載の方法。
【請求項１９】
前記変更され又は置き換えられるバイトコードは、前記プロトコルメッセージにおいて使用される元のパラメータ名と異なるパラメータ名を含む、請求項１８に記載の方法。
【請求項２０】
前記少なくとも１つのバイトコードを記憶することをさらに含む、請求項１４から１９のいずれかに記載の方法。
【請求項２１】
前記少なくとも１つのバイトコードは、加入者アイデンティティモジュールに記憶される、請求項２０に記載の方法。
【請求項２２】
前記記憶は、前記少なくとも１つのバイトコードに割り当てられたプライオリティに基づいて実行される、請求項２０又は２１に記載の方法。
【請求項２３】
前記プロトコルメッセージはセッションイニシエーションプロトコル登録メッセージを含み、さらに前記方法は、前記少なくとも１つのバイトコードをセッションイニシエーションプロトコル登録メッセージのコンタクトヘッダに追加することを含む、請求項１４又は１５に記載の方法。
【請求項２４】
パケットデータネットワーク内でシグナリングを処理するための装置において、
プロトコルメッセージを受信する手段と、
前記プロトコルメッセージのヘッダ部分からパラメータ情報を抽出する手段であって、前記パラメータ情報が圧縮メカニズムの少なくとも１つの処理詳細を指定する手段と、
前記圧縮メカニズムが前記プロトコルメッセージへの応答メッセージを圧縮するように圧縮メカニズムを、前記少なくとも一つの圧縮メカニズムの処理詳細に基づいてセットする手段と、
を備えた装置。
【請求項２５】
前記装置は、前記応答メッセージを送信する送信手段を備え、前記パラメータ情報は、圧縮パラメータ情報を含む、請求項２４に記載の装置。
【請求項２６】
前記プロトコルメッセージはセッションイニシエーションプロトコルメッセージを含み、さらに前記パラメータ情報は、ユニフォームリソース識別子、又はセッションイニシエーションプロトコルメッセージのビア・ヘッダの少なくとも一方に与えられる、請求項２５に記載の装置。
【請求項２７】
前記パラメータ情報はさらに少なくとも一つの解凍メカニズムの処理詳細を含み、さらに前記装置は、当該少なくとも一つの解凍メカニズムの処理詳細に基づいて前記アプリケーションレイヤプロトコルメッセージを解凍するために前記解凍メカニズムを設定する手段を備える、請求項２４に記載の装置。
【請求項２８】
前記パラメータ情報はさらに、前記プロトコルメッセージを解凍するためにバーチャル解凍マシンによって使用されるべき少なくとも１つのバイトコードを含む、請求項２４に記載の装置。
【請求項２９】
前記アプリケーションレイヤプロトコルメッセージはセッションイニシエーションプロトコルメッセージを含み、さらに前記少なくとも一つのバイトコードは、セッションイニシエーションプロトコルメッセージのビア・ヘッダ又はコンタクトヘッダに与えられる、請求項２８に記載の装置。
【請求項３０】
パケットデータネットワークからのシグナリングメッセージを処理するための装置において、
アプリケーションレイヤプロトコルメッセージのヘッダ部分にパラメータ情報を追加する手段であって、前記パラメータ情報が圧縮又は解凍メカニズムの少なくとも１つの処理詳細を指定する手段と、
前記プロトコルメッセージを前記追加されたパラメータ情報と共に前記パケットデータネットワークにおけるエンドポイントへ送信するための手段と、
を備えた装置。
【請求項３１】
前記エンドポイントはターミナル装置またはプロキシーサーバーを含む、請求項３０に記載の装置。
【請求項３２】
前記アプリケーションレイヤプロトコルメッセージはセッションイニシエーションプロトコルメッセージを含み、さらに前記パラメータ情報は、ユニフォームリソース識別子、又はセッションイニシエーションプロトコルメッセージのビア・ヘッダの少なくとも一方に与えられる、請求項３０に記載の装置。
【請求項３３】
前記パラメータ情報は、解凍パラメータ情報を含む、請求項３０に記載の装置。
【請求項３４】
前記解凍パラメータ情報は、バーチャル解凍マシンによって使用されるべき少なくとも１つのバイトコードを含む、請求項３３に記載の装置。
【請求項３５】
前記アプリケーションレイヤプロトコルメッセージはセッションイニシエーションプロトコルメッセージを含み、さらに前記少なくとも一つのバイトコードは、セッションイニシエーションプロトコルメッセージのビア・ヘッダ又はコンタクトヘッダに与えられる、請求項３４に記載の装置。